(57)【特許請求の範囲】
【請求項１】
表示制御信号に基づいて入力記号を表示し、操作者による入力操作に基づいて操作検出信号を出力する複数の入力操作手段と、あらかじめ定められた１以上の特定の状態の内のいずれかの状態を検出すると、１以上の期待入力記号を含む前記入力記号を選定する選定手段と、１以上の前記期待入力記号を含む前記入力記号をいずれの前記入力操作手段に表示させるかを選択する選択手段と、前記選定された１以上の期待入力記号を含む前記入力記号に対応する前記表示制御信号を、前記選択された入力操作手段に出力する表示制御手段と、前記操作検出信号の入力に基づいて、前記操作者による前記期待入力記号の入力操作が、あらかじめ定められた判定時間以内に実行されたか否かを監視する時間監視手段と前記期待入力記号をランダムに生成する手段と、前記期待入力記号を表示する手段と、
前記期待入力記号があらかじめ格納された記憶手段から、前記期待入力記号を読み出す手段と、
前記判定時間があらかじめ格納された前記記憶手段から、前記判定時間を読み出す手段と、
操作者による入力操作の規定回数があらかじめ格納された前記記憶手段から、前記規定回数を読み出す手段と、
設定者の操作に対応して前記規定回数を入力する手段と、前記規定回数を記憶する手段と、
設定者の操作に対応して前記期待入力記号として設定する前記入力記号を入力する手段と、前記期待入力記号を記憶する手段と、
設定者の操作に対応して前記判定時間を入力する手段と、前記判定時間を記憶する手段と、
前記操作者による前記入力操作において、前記期待入力記号以外が入力された場合の入力ミスを監視するミス監視手段と、前記ミス監視手段の監視結果、および、前記時間監視手段の監視結果に基づいて、前記期待入力記号の入力が正常であるか異常であるかを判断する手段と、前記判断の結果が正常である場合はあらかじめ定められた正常処理を実行する手段と、前記判断の結果が異常である場合はあらかじめ定められた異常処理を実行する手段と、
制御部と、特定番号・文字表示部と、タイマー回路と、複数の前記入力操作手段である表示・入力素子からなる可変番号表示・入力部と、を有し、
前記制御部は、１以上の前記期待入力記号を前記記憶手段に格納し、前記期待入力記号がいずれの記号であるかを特定しない所定記号を、当該期待入力記号として特定番号・文字表示部に表示し、前記選定手段は、前記制御部が１以上の前記期待入力記号を含む前記入力記号を選定し、前記選択手段は、前記制御部が１以上の前記期待入力記号を含む前記入力記号をそれぞれ表示する前記可変番号表示入力部の前記表示入力素子を選択し、前記表示制御手段は、前記制御部が選定された１以上の期待入力記号を含む前記入力記号に対応する表示制御信号を、選択された前記可変番号表示入力部の前記表示入力素子に出力し、前記時間監視手段は、前記制御部が前記タイマー回路を用いて、操作者による前記期待入力記号の入力操作が、あらかじめ規定された判定時間以内に実行されたか否かを監視することを特徴とする応答時間判定装置。
【発明の詳細な説明】
【技術分野】
【０００１】
本発明は応答時間判定装置、プログラム、システム、および、応答時間判定方法に関し、特に、操作者の応答時間を判別する応答時間判定装置、プログラム、システム、および、応答時間判定方法に関する。
【背景技術】
【０００２】
操作者の適格性の一つである覚醒状態を、判別して処理を進めることを必要とする場面として、自動車のエンジンの始動や、目覚まし時計のアラーム音の停止などがある。
【０００３】
例えば、自動車の始動においては、キーさえあれば無条件でエンジンを始動することができた。このため、酩酊状態にある人が自動車を運転し、事故が発生するという問題点があった。このような問題への対策として、車両に、車両操作時の血中アルコール濃度を測定する装置を搭載し、血中アルコール濃度が閾値を超えた場合に始動できない状態にする関連技術がある（例えば、特許文献１）。
【０００４】
また、例えば、目覚まし時計のアラーム音を簡単に停止できてしまわないようにする関連技術がある。これは、表示部にランダムに表示される数字を、入力部から入力することで、アラーム音の停止処理を実行するようにしたものである（例えば、特許文献２）。
【０００５】
他の関連技術として、特許文献３、あるいは、特許文献４に示されるキー入力の応答時間測定に関する技術がある。
【０００６】
さらに、他の関連技術として、暗証番号の入力の覗き見に対するセキュリティ技術として、操作部のキー配列をランダムに変化させる技術がある（例えば特許文献５）。
【０００７】
【特許文献１】特開２００５−２２４３１９号公報
【特許文献２】実開昭６０−１８９８９２号公報
【特許文献３】特開２００６−２９６６４７号公報
【特許文献４】特開２００３−０１５８０２号公報
【特許文献５】特開２００６−２７７４３１号公報
【発明の開示】
【発明が解決しようとする課題】
【０００８】
しかしながら、特許文献１に記載された関連技術では、睡眠不足状態の人による自動車の運転、あるいは、幼児等のいたずらを検出することができない。すなわち、飲酒しておらず、鍵を回す、スイッチを押すレベルのことさえできれば、エンジンを始動できてしまうという問題がある。
【０００９】
特許文献２に記載された関連技術では、半覚醒状態でも、何度か試行しているうちに規定の操作を実施できてしまうという問題がある。
【００１０】
特許文献３、特許文献４に記載された関連技術は、習熟により応答時間を短縮可能な操作部についての応答時間測定に関する技術であり、本発明の技術分野である覚醒状態を判別するような応答時間の判定には対応できない。
【００１１】
特許文献５に記載された関連技術は、覗き見、すなわち、まねをすることで操作できることを防止するセキュリティの域を出ず、やはり、本発明の技術分野である覚醒状態を判別するような応答時間の判定には対応できない。
【００１２】
本発明の目的は、上述した課題を解決する応答時間判定装置、プログラム、システム、および、応答時間判定方法を提供することにある。
【課題を解決するための手段】
【００１３】
本発明の応答時間判定装置は、表示制御信号に基づいて入力記号を表示し、操作者による入力操作に基づいて操作検出信号を出力する複数の入力操作手段と、あらかじめ定められた１以上の特定の状態の内のいずれかの状態を検出すると、１以上の期待入力記号を含む前記入力記号を選定する選定手段と、１以上の前記期待入力記号を含む前記入力記号をいずれの前記入力操作手段に表示させるかを選択する選択手段と、選定された１以上の期待入力記号を含む前記入力記号に対応する前記表示制御信号を、選択された前記入力操作手段に出力する表示制御手段と、操作検出信号の入力に基づいて、操作者による前記期待入力記号の入力操作が、あらかじめ定められた判定時間以内に実行されたか否かを監視する時間監視手段とを有する。
【００１４】
本発明のプログラムは、あらかじめ定められた１以上の特定の状態の内のいずれかの状態を検出すると、１以上の期待入力記号を含む前記入力記号を選定する処理と、１以上の前記期待入力記号を含む前記入力記号をいずれの前記入力操作手段に表示させるかを選択する処理と、選定された１以上の期待入力記号を含む前記入力記号に対応する表示制御信号を、選択された前記入力操作手段に出力する処理と、操作者による前記期待入力記号の入力操作が、あらかじめ規定された判定時間以内に実行されたか否かを監視する処理とをデータ処理手段に行わせる。
【００１５】
本発明のシステムは、表示制御信号に基づいて入力記号を表示し、操作者による入力操作に基づいて操作検出信号を出力する複数の入力操作手段と、あらかじめ定められた１以上の特定の状態の内のいずれかの状態を検出すると、１以上の期待入力記号を含む前記入力記号を選定する選定手段と、１以上の前記期待入力記号を含む前記入力記号をいずれの前記入力操作手段に表示させるかを選択する選択手段と、選定された１以上の期待入力記号を含む前記入力記号に対応する前記表示制御信号を、選択された前記入力操作手段に出力する表示制御手段と、操作検出信号の入力に基づいて、操作者による前記期待入力記号の入力操作が、あらかじめ規定された判定時間以内に実行されたか否かを監視する時間監視手段とを有する。
【００１６】
本発明の応答時間判定方法は、あらかじめ定められた１以上の特定の状態の内のいずれかの状態を検出すると、１以上の期待入力記号を含む前記入力記号を選定し、１以上の前記期待入力記号を含む前記入力記号をいずれの前記入力操作手段に表示させるかを選択し、選定された１以上の期待入力記号を含む前記入力記号に対応する表示制御信号を、選択された前記入力操作手段に出力し、操作者による前記期待入力記号の入力操作が、あらかじめ規定された判定時間以内に実行されたか否かを監視する。
【発明の効果】
【００１７】
本発明によれば、操作者の覚醒状態を含む適格性を判別することが可能になる。
【発明を実施するための最良の形態】
【００１８】
次に、本発明について図面を参照して詳細に説明する。まず、本明細書で使用している表現について説明する。
【００１９】
入力記号、期待入力記号の記号とは、数字、文字、図などの、機械が物理的に表示し、人が目視により区別できる、一般的な意味での記号を示す。
【００２０】
入力記号とは、本発明の入力操作手段に表示され、対応する入力操作手段の機能を定義するものである。これは、例えば、コンピュータ操作用のキーボードの刻印等に相当する。
【００２１】
期待入力記号とは、本発明の応答時間判定装置、プログラム、システム、または、応答時間判定方法が、特定のタイミングにおいて操作者による入力を期待している記号のことを示す。つまり、操作者は、特定のタイミングにおいて、入力記号として期待入力記号が表示された入力操作手段を操作することを、本発明の応答時間判定装置、プログラム、システム、または、応答時間判定方法によって、期待されている。
【００２２】
構成要素名の後ろに続くアルファベット大文字のサフィックスは、説明の便宜上、物理的に複数存在する同一の構成要素に付したものであり、構成要素の機能や動作などの違いを示すものではない。例えば、入力操作手段Ａと、入力操作手段Ｂとは、同じ入力操作手段である。例えば、入力操作手段と表記した場合は、入力操作手段Ａも、入力操作手段Ｂも区別せずに包含して示すものである。
【００２３】
選定要求信号は、時間監視手段１１４が出力し、選定手段１１１が入力する信号である。表示制御信号は、表示制御手段１１３が出力し、入力操作手段１１５が入力する信号である。操作検出信号は、入力操作手段１１５が出力し、時間監視手段１１４が入力する信号である。
【００２４】
なお、以下の実施の形態で記載する各手段は、ハードウェアで実現されても良いし、ソフトウェアで実現されても良いし、ハードウェアとソフトウェアの混在により実現されても良い。
【００２５】
図１は、本発明の第１の実施の形態の機能ブロック図である。図１を参照すると、本発明の第１の実施の形態の応答時間判定装置１１０は、選定手段１１１と、選択手段１１２と、表示制御手段１１３と、時間監視手段１１４と、入力操作手段１１５とで構成されている。
【００２６】
選定手段１１１は、時間監視手段１１４からの選定要求信号を検出すると、最後の期待入力記号の選定が終了しているか否かを判断する。選定手段１１１は、最後の期待入力記号の選定が終了していない場合は、１以上の期待入力記号を含む入力記号を選定する。例えば、選定手段１１１は、図示しない手段によって記憶されている１以上の期待入力記号の１つを読み出す。そして、例えば、選定手段１１１は、４個の乱数を発生して入力記号とする。なお、選定要求信号を検出することは、あらかじめ定められた１以上の特定の状態の内のいずれかの状態を検出することの一例である。選定手段１１１は、最後の期待入力記号の選定が終了している場合は、正常時の処理を実行する手段（図示しない）に対して、正常信号を出力する。
【００２７】
選択手段１１２は、選定手段１１１により選定された１以上の期待入力記号を含む入力記号のそれぞれを表示する入力操作手段１１５を選択する。例えば、１以上の期待入力記号が『２』、入力記号が『３』、『５』、『８』、および、『９』であるとする。この場合、例えば、選択手段１１２は、『２』を表示する入力操作手段１１５として入力操作手段Ｄ１１５を、『３』を表示する入力操作手段１１５として入力操作手段Ｃ１１５を選択する。続けて、例えば、選択手段１１２は、『５』を表示する入力操作手段１１５として入力操作手段Ａ１１５を、『８』を表示する入力操作手段１１５として入力操作手段Ｅ１１５を選択する。続けて、例えば、選択手段１１２は、『９』を表示する入力操作手段１１５として入力操作手段Ｂ１１５を選択する。期待入力記号あるいは入力記号を表示する各入力操作手段１１５の選択は、あらかじめ定められたアルゴリズムによって行われる。このアルゴリズムは、ランダムに選択するもの、人間工学等に基づいて、操作者による期待入力記号の入力操作に時間がかかるように選択するもの、あるいは、操作者による期待入力記号の入力操作に時間がかからないように選択するものであって良い。このアルゴリズムは、その他、利用分野に応じてさまざまなものを利用することができる。
【００２８】
表示制御手段１１３は、選定手段１１１により選定された１以上の期待入力記号を含む入力記号に対応する各表示制御信号を、選択手段１１２により選択された各入力操作手段１１５に出力する。以下、表示制御信号と表記した場合は、ここで示した表示制御信号を示す。例えば、表示制御手段１１３は、『２』に対応する表示制御信号を入力操作手段Ｄ１１５に、『３』に対応する表示制御信号を入力操作手段Ｃ１１５に、『５』に対応する表示制御信号を入力操作手段Ａ１１５に、それぞれ出力する。同様に、表示制御手段１１３は、『８』に対応する表示制御信号を入力操作手段Ｅ１１５に、『９』に対応する表示制御信号を入力操作手段Ｂ１１５に、それぞれ出力する。
【００２９】
時間監視手段１１４は、入力操作手段１１５からの操作検出信号を入力する。時間監視手段１１４は、初期状態、即ち、時間監視のための計時を行っていない状態で、操作検出信号を入力した場合は、選定要求信号を選定手段１１１に通知する。時間監視手段１１４は、また、初期状態、即ち、時間監視のための計時を行っていない状態で、操作検出信号を入力した場合は、計時を開始する。
【００３０】
なお、時間監視手段１１４が時間監視のために計時する時間を判定時間と呼ぶ。この判定時間は、図示しない手段によって与えられても良いし、時間監視手段１１４内部に固定的に有していても良い。なお、時間監視手段１１４が時間監視のための計時を行っていない状態で、操作検出信号を入力した時点が、期待入力記号が入力されることの待ち状態となった時点の１つの例である。
【００３１】
時間監視手段１１４は、判定時間以内に期待入力記号の入力操作が実行されたか否かを監視する。そして、時間監視手段１１４は、判定時間以内に期待入力記号の入力操作が実行された場合は、選定要求信号を選定手段１１１に通知する。また、時間監視手段１１４は、判定時間以内に期待入力記号の入力操作が実行されなかった場合は、異常時の処理を実行する手段（図示しない）に対して、異常信号を出力する。以下、異常信号と記載した場合は、ここで説明した異常信号を示す。
【００３２】
入力操作手段１１５は、表示制御手段１１３が出力した表示制御信号に基づいて、入力記号を表示する。そして、入力操作手段１１５は、操作者により入力の操作をされると、操作検出信号を時間監視手段１１４に出力する。
【００３３】
次に、本発明の第１の実施の形態の動作について図面を参照して説明する。図２は、本発明の第１の実施の形態の動作を示すフローチャートである。
【００３４】
入力操作手段１１５は、操作者による入力操作手段１１５に対する入力の操作があったか否かをチェックする（ステップＳ１００）。入力操作手段１１５は、操作者による入力操作手段１１５に対する入力の操作があった場合（ステップＳ１００のＹｅｓの場合）は、ステップＳ１０１へ分岐する。入力操作手段１１５は、操作者による入力操作手段１１５に対する入力の操作がない場合（ステップＳ１００のＮｏの場合）は、ステップＳ１００へ分岐する。
【００３５】
入力操作手段１１５は、操作者による入力の操作の検出を契機に、時間監視手段１１４に対して、操作検知信号を出力する（ステップＳ１０１）。
【００３６】
時間監視手段１１４は、操作検知信号を受けると、判定時間の計時中か否かを判断する（ステップＳ１０２）。そして、時間監視手段１１４は、判定時間の計時中でない場合（ステップＳ１０２のＮｏの場合）は、判定時間の計時を開始し、選定手段１１１に対して、選定要求信号を出力する（ステップＳ１０３）。また、時間監視手段１１４は、判定時間の計時中である場合（ステップＳ１０２のＹｅｓの場合）は、選定手段１１１に対して、選定要求信号を出力する（ステップＳ１０４）。
【００３７】
選定手段１１１は、選定要求信号を受けると、最後の期待入力記号の選定が終了しているか否かを判断する（ステップＳ１０５）。そして、選定手段１１１は、最後の期待入力記号の選定が終了している場合（ステップＳ１０５のＹｅｓの場合）は、正常信号を出力する（ステップＳ１０６）。この場合は、本発明の処理の部分はここまでであり、この正常信号は、図示しない正常処理手段に通知され、応答が判定時間内に正常に行われた場合の処理が実行される。また、選定手段１１１は、最後の期待入力記号の選定が終了していない場合（ステップＳ１０５のＮｏの場合）は、１以上の期待入力信号を含む入力記号を選定し、選択手段１１２にこの情報を渡す（ステップＳ１０７）。
【００３８】
選択手段１１２は、選定された１以上の期待入力信号を含む入力記号の情報を受け取ると、それぞれを表示する各入力操作手段１１５を選択し、表示制御手段１１３にこの情報を渡す（ステップＳ１０８）。
【００３９】
表示制御手段１１３は、選定された１以上の期待入力信号を含む入力記号の情報と、選択された入力操作手段１１５の情報を受け取る。そして、表示制御手段１１３は、選定された１以上の期待入力信号を含む入力記号それぞれに対応する表示制御信号を、選択された各入力操作手段１１５に対して出力する（ステップＳ１０９）。
【００４０】
時間監視手段１１４は、判定時間が経過したか否かをチェックする（ステップＳ１１０）。時間監視手段１１４は、判定時間が経過していない場合（ステップＳ１１０のＮｏの場合）は、計時を更新する（ステップＳ１１１）。時間監視手段１１４は、判定時間が経過した場合（ステップＳ１１０のＹｅｓの場合）は、異常信号を出力する（ステップＳ１１２）。この場合は、本発明の処理の部分はここまであり、この異常信号は、図示しない異常処理手段に通知され、判定時間内に入力が完了しなかった場合の処理が実行される。
【００４１】
入力操作手段１１５は、操作者による入力操作手段１１５に対する入力の操作があったか否かをチェックする（ステップＳ１１３）。入力操作手段１１５は、操作者による入力操作手段１１５に対する入力の操作があった場合（ステップＳ１１３のＹｅｓの場合）は、ステップＳ１０１へ分岐する。入力操作手段１１５は、操作者による入力操作手段１１５に対する入力の操作がない場合（ステップＳ１１３のＮｏの場合）は、ステップＳ１１０へ分岐する。
【００４２】
本発明の第１の実施の形態によれば、入力操作部に表示する入力記号を適切なタイミングで適切に変化させ、この入力操作部に対する入力操作を監視し、判定時間内に入力されたか否かを確認するようにしたことにより、操作者の応答能力や、覚醒状態を検出することが可能になるという効果を有している。
【００４３】
次に、本発明の第２の実施の形態について図面を参照して詳細に説明する。
【００４４】
図３を参照すると、本発明の第２の実施の形態は、着席検出部１０と、ハザード表示部１７と、応答時間判定装置１９と、対象装置の制御部２０とで構成されている。
【００４５】
着席検出部１０は、操作者が着席していることを検出し、それを応答時間判定装置１９へ通知する。これらの検出手段、および、通知手段は、当業者にとって周知の技術であるため、詳細は省略する。
【００４６】
ハザード表示部１７は、応答時間判定装置１９からの指示により、音、光等を用いて、警報を発することにより、付近に注意を喚起する。これらの、指示を受ける手段、および、ハザード表示手段は、当業者にとって周知の技術であるため、詳細は省略する。
【００４７】
対象装置の制御部２０は、例えば車両のエンジンコントロールユニット等であり、応答時間判定装置１９からの信号に基づいて、必要な動作を行う。この、信号を受ける手段は、当業者にとって周知の技術であるため、詳細は省略する。
【００４８】
応答時間判定装置１９は、プログラム制御により動作するデータ処理手段であるところの制御部１１と、バックライト部１２と、記憶装置１３と、特定番号・文字表示部１４と、タイマー回路１５と、可変番号表示・入力部１６と、カードリーダ部１８とで構成されている。
【００４９】
バックライト部１２は、特定番号・文字表示部１４の背面から光を照射する。記憶装置１３は、制御部１１が動作するために必要な情報を格納するリードライト可能な記憶装置である。特定番号・文字表示部１４は、例えば液晶ディスプレイであり制御部１１の制御に基づいて、文字、その他の情報を表示する。タイマー回路１５は、制御部１１から設定された判定時間であるカウントダウン時間２０１（図６参照）を計時する。
【００５０】
図４は、可変番号表示・入力部１６の構成例の図である。可変番号表示・入力部１６は、数字表示部分と数字表示部分をカバーする透明なボタンで実現された、入力操作手段１１５で構成されている。
【００５１】
以下、可変番号表示・入力部１６の位置１センサー２１、位置２センサー２２、位置３センサー２３、位置４センサー２４、位置５センサー２５、位置６センサー２６、位置７センサー２７、位置８センサー２８、位置９センサー２９、乃至、位置１０センサー３０は、「センサー群の各センサー」と表記する。
【００５２】
カードリーダ部１８は、制御部１１の指示に基づいて、カードの実装を確認し、そのカードの内容をスキャンする。このカードは、例えば、操作者となる個人を識別可能な、ＩＣカードで実現された、身分証明書や、社員証や、運転免許証や、会員証などのＩＤカードであるとする。また、このカードには、操作者となる個人に対応した、カウントダウン時間２０１が記録されているものとする。以下、カードと記載した場合は、ここで説明したカードを示す。
【００５３】
制御部１１は、期待入力記号生成手段１１６と、期待入力記号格納手段１１７と、期待入力記号表示指示手段１１８と、表示入力素子選択手段１２０と、表示制御信号出力手段１２１と、正常処理実行手段１２２と、異常処理実行手段１２３と、ミス監視手段１２４と、タイマー制御手段１２５と、判定時間読出手段１２８とを有している。制御部１１は、タイマー制御手段１２５により、タイマー回路１５を制御することにより、時間監視手段１１４を実現する。制御部１１は、期待入力記号表示指示手段１１８を用いて、特定番号・文字表示部１４に表示内容を指示することにより、期待入力記号を表示する手段を実現する。
【００５４】
制御部１１は、着席検出部１０からの通知により操作者が着席していることを検知する。制御部１１は、カードリーダ部１８にカードが実装されているか否かをチェックする。
【００５５】
制御部１１は、バックライト部１２の点灯、消灯を制御する。制御部１１は、制御部１１自身を含め、応答時間判定装置１９内の初期化動作を実行する。制御部１１は、カードリーダ部１８を制御して、カードをスキャンし、判定時間読出手段１２８により、カウントダウン時間２０１を含むデータを読み出して、記憶装置１３に格納する。制御部１１は、選定手段１１１に相当する期待入力記号生成手段１１６により、ランダムな数字列２０４（図７（ａ）参照）を生成する。そして、制御部１１は、ランダムな数字列２０４を期待入力記号格納手段１１７により、記憶装置１３に格納する。制御部１１は、記憶装置１３内の数字列２０４を、期待入力記号表示手段１１８により、特定番号・文字表示部１４に表示する。制御部１１は、タイマー制御手段１２５により、タイマー回路１５に計時の開始を指示する。
【００５６】
制御部１１は、選択手段１１２に相当する表示入力素子選択手段１２０により、ランダムに表示するよう０〜９の数字の配置を決定する。そして、制御部１１は、配置を決定した０〜９の数字の７セグメント表示制御信号を、表示制御手段１１３に相当する表示制御信号出力手段１２１により、可変番号表示・入力部１６に送る。制御部１１は、可変番号表示・入力部１６からのボタン圧力検知したキー位置の通知を待つ。
【００５７】
制御部１１は、ボタン圧力検知したキー位置の通知を受ける度に、記憶装置１３に格納したボタン圧力検知回数２０２（図６参照）を更新（１加算）する。
【００５８】
制御部１１は、可変番号表示・入力部１６から通知されたキー位置データのセンサー群の各センサーの表示部に表示されている数字（数字Ｓと呼ぶ）と、記憶装置１３に格納されている数字列２０４の先頭の数字（数字Ｔと呼ぶ）が一致しているか否かの判定を行う。数字Ｓと数字Ｔが一致していることを検出した場合、制御部１１は、記憶装置１３内の数字列２０４を左シフトし（例：図７（ａ）を左シフトし、図７（ｂ）にする。）、特定番号・文字表示部１４に表示する。
【００５９】
制御部１１は、記憶装置１３の数字列２０４が空であるか否かをチェックする。制御部１１は正常処理実行手段１２２により、特定番号・文字表示部１４に始動可能状態である旨の表示を行う。制御部１１は正常処理実行手段１２２により、対象装置の制御部２０に始動可能状態であることを通知する。
【００６０】
制御部１１はミス監視手段１２４により、ボタン圧力検知回数２０２が規定回数２０９を超えたか否かをチェックする。また、制御部１１はタイマー制御手段１２５により、タイマー回路１５においてカウントダウン時間２０１が経過したか否かをチェックする。
【００６１】
制御部１１は、特定番号・文字表示部１４にエラー表示を行う。制御部１１は異常処理実行手段１２３により、ハザード表示部１７にハザード表示の開始、および、停止を指示する。
【００６２】
センサー群の各センサーの各表示部は、制御部１１の指示に基づいて、数字列２０４を表示する。センサー群の各センサーは、圧力を検知する。
【００６３】
可変番号表示・入力部１６は、制御部１１から受けた７セグメント表示制御信号に基づいて、センサー群の各センサーの表示部に数字を表示する。
【００６４】
可変番号表示・入力部１６は、圧力を検知したセンサー群の各センサーに対応するキー位置データを制御部１１に通知する。
【００６５】
次に、本発明の第２の実施の形態の動作について図面を参照して説明する。図５は、本発明の第２の実施の形態の制御部１１の動作を示すフローチャートである。
【００６６】
制御部１１は着席検出部１０にて操作者が着席していることを検知すると、動作を開始する（ステップＰ１）。制御部１１は、カードリーダ部１８にカードが実装されているか否かをチェックする（ステップＲ１）。そして、制御部１１は、カードが実装されていないことを検出した場合（ステップＲ１のＮｏの場合）は、ステップＲ１へ分岐する（カードの実装待ちの状態となる）。
【００６７】
制御部１１は、カードが実装されていることを検出した場合（ステップＲ１のＹｅｓの場合）は、バックライト部１２に点灯の指示を出す。そして、制御部１１は、制御部１１内の各種パラメータ初期化、及び、記憶装置１３の初期化動作、及び、特定番号・文字表示部１４のクリア動作を実行する（ステップＰ２）。
【００６８】
制御部１１は、カードリーダ部１８により、カードをスキャンし、カウントダウン時間２０１（例えば、１０秒）を含むデータを読み出す。そして、制御部１１は、このデータを記憶装置１３に格納する（ステップＰ３）。
【００６９】
制御部１１は、例えば１０桁のランダムな数字列２０４を生成する（ステップＰ４）。そして、制御部１１は、この数字列２０４を、記憶装置１３に格納し、また、特定番号・文字表示部１４に表示する（図７の（ａ）参照。ステップＰ５）。
【００７０】
制御部１１は、タイマー回路１５にカウントダウン時間２０１を設定し、計時の開始を指示する（ステップＰ６）。
【００７１】
制御部１１は、例えば『０』〜『９』の数字がセンサー群の各センサーにランダムに表示されるように配置を決定する。そして制御部１１は、決定した配置を記憶装置１３の位置１センサー表示数字〜位置１０センサー表示数字２０３に格納する（図６参照）。
【００７２】
なお、計時の開始を指示したことは、あらかじめ定められた１以上の特定の状態の内のいずれかの状態を検出することの一例である。また、後述するステップＲ５からステップＰ９への分岐、ステップＲ６からステップＰ９への分岐は、同様に、あらかじめ定められた１以上の特定の状態の内のいずれかの状態を検出することの一例による分岐である。さらに、後述する、第３の実施の形態、第４の実施の形態でも同様の例が示されているが、ここで説明した内容と重複するためそれぞれの箇所での説明は省略する。
【００７３】
そして、制御部１１は、ランダムになるように配置を決定した０〜９の数字に対応する７セグメント表示制御信号を、対応するセンサー群の各センサーの順番に、可変番号表示・入力部１６に送信する。可変番号表示・入力部１６は、受信した７セグメント表示制御信号に基づいて数字を表示する（図８参照。ステップＰ９）。そして、制御部１１は、可変番号表示・入力部１６からのボタン圧力検知したキー位置の通知の待ち状態となる。
【００７４】
可変番号表示・入力部１６からのボタン圧力検知したキー位置の通知の待ち状態となった制御部１１は、タイマー回路１５により、カウントダウン時間２０１が経過したか否かをチェックする（ステップＲ２）。制御部１１は、カウントダウン時間２０１が経過したことを検知した場合（ステップＲ２のＮｏの場合）は、ステップＰ７に分岐する。制御部１１は、カウントダウン時間２０１が経過していないことを検知した場合（ステップＲ２のＹｅｓの場合）は、ステップＲ３に分岐する。
【００７５】
ステップＲ３に分岐した制御部１１は、可変番号表示・入力部１６から、圧力を検知したセンサー群の各センサーに対応するキー位置データの通知があったか否かをチェックする（ステップＲ３）。制御部１１は、キー位置データの通知がなかったことを検知した場合（ステップＲ３のＮｏの場合）は、ステップＲ２に分岐する。制御部１１は、キー位置データの通知があったことを検知した場合（ステップＲ３のＹｅｓの場合）は、ステップＰ１０に分岐する。
【００７６】
ステップＰ１０に分岐した制御部１１は、記憶装置１３のボタン圧力検知回数２０２を１加算する。
【００７７】
次に制御部１１は、記憶装置１３にあらかじめ格納された規定回数２０９（例えば、１５回）を読出し、ボタン圧力検知回数２０２がこの規定回数２０９を超えたか否かをチェックする（ステップＲ４）。制御部１１は、ボタン圧力検知回数２０２が規定回数２０９を超えたことを検知した場合（ステップＲ４のＮｏの場合）は、ステップＰ７に分岐する。制御部１１は、ボタン圧力検知回数２０２が規定回数２０９を超えていないことを検知した場合（ステップＲ４のＹｅｓの場合）は、ステップＲ５に分岐する。
【００７８】
ステップＲ５に分岐した制御部１１は、記憶装置１３に格納された位置１センサー表示数字〜位置１０センサー表示数字２０３（図６参照）を参照して、通知されたキー位置データのキー位置に表示している数字が、記憶装置１３に格納している数字列２０４の先頭の数字と一致しているか否かをチェックする（ステップＲ５）。制御部１１は、これらの数字が一致していないことを検知した場合（ステップＲ５のＮｏの場合）は、ステップＰ９に分岐する。制御部１１は、これらの数字が一致していることを検知した場合（ステップＲ５のＹｅｓの場合）は、ステップＰ１１に分岐する。
【００７９】
ステップＰ１１に分岐した制御部１１は、記憶装置１３に格納している数字列２０４の先頭の数字を消去し、残った数字を先頭方向へシフトする。そして、制御部１１は、この数字列２０４を特定番号・文字表示部１４に表示する（図７の（ｂ）参照ステップＰ１１）。
【００８０】
続けて制御部１１は、記憶装置１３に格納している数字列２０４が空になったか否かをチェックする（ステップＲ６）。制御部１１は、数字列２０４が空になっていないことを検知した場合（ステップＲ６のＮｏの場合）は、ステップＰ９に分岐する。制御部１１は、数字列２０４が空になっていることを検知した場合（ステップＲ６のＹｅｓの場合）は、ステップＰ１２に分岐する。
【００８１】
ステップＰ１２に分岐した制御部１１は、特定番号・文字表示部１４に始動可能状態である旨を表示する（ステップＰ１２）。続けて、制御部１１は、対象装置の制御部２０に始動可能状態であることを通知する（ステップＰ１３）。
【００８２】
ステップＰ７に分岐した制御部１１は、ハザード表示部１７に一定時間ハザード表示を行い（ステップＰ７）、特定番号・文字表示部１４にエラー表示を行う（ステップＰ８）。
【００８３】
図１７は、以上の動作により実現される、本発明の第２の実施の形態の特定番号・文字表示部１４及び可変番号表示・入力部１６の表示遷移の概念図である。
【００８４】
本発明の第２の実施の形態によれば、カードに格納されたカウントダウン時間２０１内に、規定回数２０９の入力ミスの範囲で、入力のたびに変化する可変番号表示・入力部１６から、特定番号・文字表示部１４に表示された特定番号を、入力できた場合は対象装置の制御部２０を始動可能とし、入力できなかった場合はハザード表示をするようにしたことにより、正常な操作者であれば対象装置の制御部２０を始動することができ、酩酊状態にある人や睡眠不足状態にある人等異常な操作者あるいは幼児等の不適格な操作者であれば、対象装置の制御部２０を始動させることはできず、周囲の人にも警告を発し異変に気づかせることが可能になるという効果を有している。また、カウントダウン時間２０１を含むデータをカードから読み出す際に、ボタン圧力検知回数２０２の上限値（規定回数２０９）を読み出し、ボタン圧力検知回数２０２の上限値として設定することにより各個人の年齢等に応じた柔軟な応答時間判定運用も可能となる。
【００８５】
次に、本発明の第３の実施の形態について図面を参照して詳細に説明する。なお、第３の実施の形態の説明においては、第２の実施の形態と同一であって、すでに説明済みの部分は、冗長となるため、説明の流れが不明確にならない範囲で省略する。
【００８６】
図９を参照すると、本発明の第３の実施の形態は、応答時間判定装置５９に読み出し専用記憶装置６１を有している点と、制御部５１の動作の一部が、第２の実施の形態の応答時間判定装置１９の制御部１１の動作と異なっている。
【００８７】
読み出し専用記憶装置６１は、特定数字列２０５を格納している。
【００８８】
制御部５１は、期待入力記号生成手段１１６に変えて、期待入力記号読出手段５１６を有している。
【００８９】
制御部５１は、制御部１１がランダムな数字列２０４を生成したことに変えて、選定手段１１１に相当する期待入力記号読出手段５１６により、読み出し専用記憶装置６１から特定数字列２０５を読み込み、記憶装置１３に格納する。
【００９０】
制御部５１は、制御部１１が記憶装置１３内の数字列２０４を特定番号・文字表示部１４に表示したことに変えて、記憶装置１３内の特定数字列２０５の文字数分の『＊』を特定番号・文字表示部１４に表示する。
【００９１】
次に、本発明の第３の実施の形態の動作について図面を参照して説明する。図１０は、本発明の第３の実施の形態の制御部５１の動作を示すフローチャートである。
【００９２】
ステップＰ１からステップＰ３までは、本発明の第２の実施の形態の動作と同じであるため省略する。
【００９３】
制御部５１は、読み出し専用記憶装置６１に格納されている特定数字列２０５（例えば、図１１（ａ）参照。）を読み出す（ステップＳ４）。
【００９４】
そして、制御部５１は、この特定数字列２０５を、記憶装置１３に格納する。そして、制御部５１は、この特定数字列２０５の文字数分の『＊』を、特定番号・文字表示部１４に表示する（図１１の（ｃ）参照。ステップＳ５）。
【００９５】
ステップＰ６からステップＰ９まで、および、ステップＲ２からステップＲ４までは、本発明の第２の実施の形態の動作と同じであるため省略する。ただし、ステップＲ４での
ボタン圧力検知回数２０２が規定内であることを検知した場合（ステップＲ４のＹｅｓの場合）の分岐先は、ステップＲ５ではなくステップＢ５となる。
【００９６】
ステップＢ５に分岐した制御部５１は、記憶装置１３に格納された位置１センサー表示数字〜位置１０センサー表示数字２０３（図６参照）を参照して、通知されたキー位置データのキー位置に表示している数字が、記憶装置１３に格納している特定数字列２０５の先頭の数字と一致しているか否かをチェックする（ステップＢ５）。制御部５１は、これらの数字が一致していないことを検知した場合（ステップＢ５のＮｏの場合）は、ステップＰ９に分岐する。制御部５１は、これらの数字が一致していることを検知した場合（ステップＢ５のＹｅｓの場合）は、ステップＳ１１に分岐する。
【００９７】
ステップＳ１１に分岐した制御部５１は、記憶装置１３に格納している特定数字列２０５の先頭の数字を消去し、残った数字を先頭方向へシフトする（図１１の（ｂ）参照）。そして、制御部５１は、この特定数字列２０５の文字数分の『＊』を、特定番号・文字表示部１４に表示する（図１１の（ｄ）参照ステップＳ１１）。
【００９８】
続けて制御部５１は、記憶装置１３に格納している特定数字列２０５が空になったか否かをチェックする（ステップＢ６）。制御部５１は、特定数字列２０５が空になっていないことを検知した場合（ステップＢ６のＮｏの場合）は、ステップＰ９に分岐する。制御部５１は、特定数字列２０５が空になっていることを検知した場合（ステップＢ６のＹｅｓの場合）は、ステップＰ１２に分岐する。
【００９９】
ステップＰ１２からステップＰ１３までは、本発明の第２の実施の形態の動作と同じであるため省略する。
【０１００】
なお、本実施の形態の読み出し専用記憶装置６１を、本発明の第２の実施の形態で説明したカードに置き換え、制御部５１は、カードリーダ部１８を用いて、特定文字列をカードから読み出すようにしても良い。なお、カードへの特定文字列の登録は、当業者にとって周知の技術であり、ここでは説明を省略する。
【０１０１】
なお、本実施の形態の読み出し専用記憶装置６１を、ネットワーク接続部（図示しない）に置き換え、制御部５１は、このネットワーク接続部を用いて、図示しないサーバから、特定文字列を読み出すようにしても良い。なお、特定文字列等の情報をサーバに格納する手段や、サーバから読み出す手段は、当業者にとって周知の技術であり、ここでは説明を省略する。
【０１０２】
なお、本実施の形態の読み出し専用記憶装置６１は、書き込み読み出し可能な不揮発性記憶装置に置き換えても良い。なお、不揮発性記憶装置への特定文字列の登録については、その一例を、後述する本発明の第４の実施の形態で説明する。
【０１０３】
なお、本実施の形態では、特定数字列２０５の文字数分の『＊』を、特定番号・文字表示部１４に表示するようにしたが、本発明の第２の実施の形態と同様に、特定文字列そのものを表示するようにしても良い。
【０１０４】
本発明の第３の実施の形態によれば、入力する文字列を、あらかじめ読み出し専用記憶装置６１に格納された特定数字列２０５とし、特定番号・文字表示部１４には特定数字列２０５の文字数分の『＊』を表示するようにしたことにより、この特定数字列２０５を暗証番号として、セキュリティ機能を強化することが可能になるという効果を有している。
【０１０５】
また、本発明の第３の実施の形態によれば、入力する文字列を、あらかじめ読み出し専用記憶装置６１に格納された特定数字列２０５とし、この特定数字列２０５として操作者になじみのある番号を採用することにより、操作者の負担を軽減させること可能になるという効果を有している。かつ一方で、可変番号表示・入力部１６に表示する数字の配列はランダムに変更するようにしたので、読み出し専用記憶装置６１に格納された数字が操作者になじみがあるものであっても、また、同一数字が連続するようなものであっても、酩酊状態にある人、睡眠不足状態の人、あるいは、幼児等による正常な入力は容易ではないという効果を有している。
【０１０６】
また、本発明の第３の実施の形態によれば、特定文字列をカード、あるいは、書き込み読み出し可能な不揮発性記憶装置から読み出すようにし、ユーザが格納された特定文字列の変更を容易に実施できるようにしたため、読み出し専用記憶装置６１から特定文字列を読み出す場合に比べて、利用の自由度が大きくなるという効果を有している。
【０１０７】
次に、本発明の第４の実施の形態について図面を参照して詳細に説明する。なお、第４の実施の形態の説明においては、第２の実施の形態と同一であって、すでに説明済みの部分は、冗長となるため、説明の流れが不明確にならない範囲で省略する。
【０１０８】
図１２を参照すると、本発明の第４の実施の形態は、アラーム振動部８７と、応答時間判定装置８９とで構成されている。
【０１０９】
アラーム振動部８７は、応答時間判定装置８９からの指示により、アラームを鳴動することにより、注意を喚起する。これらの、指示を受ける手段、および、アラーム鳴動手段は、当業者にとって周知の技術であるため、詳細は省略する。
【０１１０】
応答時間判定装置８９は、刻時部８０と、アラームスイッチ部８８と、アラーム時刻・番号設定部９０と、不揮発性記憶装置９１とを有している点が第２の実施の形態の構成と異なっている。また、応答時間判定装置８９は、制御部８１の動作の一部が、第２の実施の形態の応答時間判定装置１９の制御部１１の動作と異なっている。また、応答時間判定装置８９は、カードリーダ部１８を有していない点が第２の実施の形態の構成と異なっているが、カードリーダ部１８を有していてはいけないことを示唆するものではない。第４の実施の形態おいては、カードリーダ部１８を有し、実施の形態２、実施の形態３を応用する構成としても良い。
【０１１１】
刻時部８０は、いわゆる時計であり、時刻を出力する。
【０１１２】
アラームスイッチ部８８は、アラーム機能有効（アラームスイッチ部８８がオン）と、アラーム機能無効（アラームスイッチ部８８がオフ）を切り替える。
【０１１３】
アラーム時刻・番号設定部９０は、人が操作して、アラーム時刻２０６、および、任意の長さの特定数字列２０７を入力する。また、アラーム時刻・番号設定部９０は、人が操作して、規定回数２０９を入力する。
【０１１４】
不揮発性記憶装置９１は、アラーム時刻２０６、特定数字列２０７を格納する。
【０１１５】
制御部８１は、期待入力記号生成手段１１６に変えて、期待入力記号読出手段８１６を有している。また、制御部８１は、判定時間読出手段１２８は有していない。また、制御部８１は、期待入力記号入力手段８２６と、期待入力記号記憶手段８２７とを有している。
【０１１６】
制御部８１は、アラーム振動部８７の鳴動の開始、停止を制御する。制御部８１は、特定番号・文字表示部１４を制御して現在時刻を表示する。制御部８１は、アラームスイッチ部８８がオン状態か、オフ状態かをチェックする。
【０１１７】
制御部８１は、アラーム時刻２０６（例えば、図１３参照）をアラーム時刻・番号設定部９０から入力し、不揮発性記憶装置９１に格納する。制御部８１は、期待入力記号入力手段８２６により、特定数字列２０７（例えば、図１４参照）をアラーム時刻・番号設定部９０から入力し、期待入力記号記憶手段８２７により、不揮発性記憶装置９１に格納する。
【０１１８】
制御部８１は、アラーム時刻２０６及び特定数字列２０７が設定されているか否かをチェックする。制御部８１は、制御部１１がランダムな数字列２０４を生成したことに変えて、選定手段１１１に相当する期待入力記号読出手段８１６により、不揮発性記憶装置９１から特定数字列２０７を読み込み、記憶装置１３に特定数字列２０８として格納する。制御部８１は、刻時部８０の時刻が、アラーム時刻２０６に到達したか否かをチェックする。
【０１１９】
次に、本発明の第４の実施の形態の動作について図面を参照して説明する。図１６及び図１８は、本発明の第４の実施の形態の制御部８１の動作を示すフローチャートである。
【０１２０】
制御部８１は、刻時部８０の時刻を特定番号・文字表示部１４に表示する（ステップＱ１）。
【０１２１】
制御部８１は、アラームスイッチ部８８がＯＮ状態か否かをチェックする（ステップＪ１）。そして、制御部８１は、アラームスイッチ部８８がオフ状態であることを検出した場合（ステップＪ１のＮｏの場合）は、ステップＱ１へ分岐する。制御部８１は、アラームスイッチ部８８がオン状態であることを検出した場合（ステップＪ１のＹｅｓの場合）は、ステップＪ２へ分岐する。
【０１２２】
ステップＪ２に分岐した制御部８１は、アラーム時刻２０６及び特定数字列２０７が設定されているか否かをチェックする（ステップＪ２）。そして、制御部８１は、アラーム時刻２０６及び特定数字列２０７が設定されていないことを検出した場合（ステップＪ２のＮｏの場合）は、ステップＱ１へ分岐する。制御部８１は、アラーム時刻２０６及び特定数字列２０７が設定されていることを検出した場合（ステップＪ２のＹｅｓの場合）は、ステップＪ３へ分岐する。
【０１２３】
ステップＪ３に分岐した制御部８１は、刻時部８０の時刻がアラーム時刻２０６とアラーム時刻２０６にカウントダウン時間２０１を加算した時刻の間にあるか否かをチェックする（ステップＪ３）。例えば、アラーム時刻２０６が、『６時３０分００秒』であり、カウントダウン時間２０１が『１０秒』であれば、刻時部８０の時刻が『６時３０分００秒』と『６時３０分１０秒』の間にあるか否かをチェックする。そして、制御部８１は、刻時部８０の時刻がアラーム時刻２０６とアラーム時刻２０６にカウントダウン時間２０１を加算した時刻の間にないことを検出した場合（ステップＪ３のＮｏの場合）は、ステップＱ１へ分岐する。制御部８１は、刻時部８０の時刻がアラーム時刻２０６とアラーム時刻２０６にカウントダウン時間２０１を加算した時刻の間にあることを検出した場合（ステップＪ３のＹｅｓの場合）は、ステップＱ２へ分岐する。
【０１２４】
ステップＱ２に分岐した制御部８１は、アラーム振動部８７に鳴動を指示する（ステップＱ２）。
【０１２５】
ステップＰ２は、本発明の第２の実施の形態の動作と同じであるため省略する。
【０１２６】
制御部８１は、不揮発性記憶装置９１に格納されている特定数字列２０７を読み出す（ステップＱ４）。
【０１２７】
そして、制御部８１は、特定数字列２０７を、記憶装置１３に特定数字列２０８として格納する。そして、制御部８１は、特定数字列２０８を、特定番号・文字表示部１４に表示する（図１５の（ａ）参照。ステップＱ５）。
【０１２８】
ステップＰ６、ステップＰ９は、本発明の第２の実施の形態の動作と同じであるため省略する。
【０１２９】
可変番号表示・入力部１６からのボタン圧力検知したキー位置の通知の待ち状態となった制御部８１は、タイマー回路１５により、カウントダウン時間２０１が経過したか否かをチェックする（ステップＲ２）。制御部８１は、カウントダウン時間２０１が経過したことを検知した場合（ステップＲ２のＮｏの場合）は、ステップＰ２に分岐する。制御部８１は、カウントダウン時間２０１が経過していないことを検知した場合（ステップＲ２のＹｅｓの場合）は、ステップＲ３に分岐する。
【０１３０】
ステップＲ３からステップＲ５まで、ステップＰ１１、およびステップＲ６は、本発明の第２の実施の形態の動作と同じであるため省略する（ただし、ステップＰ１１、ステップＲ５、および、ステップＲ６の数字列２０４は、特定数字列２０８と読み替える。）。また、ステップＲ６での数字列２０４（特定数字列２０８）が空になっていることを検知した場合（ステップＲ６のＹｅｓの場合）の分岐先は、ステップＰ１２ではなくステップＱ１１となる。また、ステップＲ４でのボタン圧力検知回数２０２が規定内でなかった場合の分岐先は、ステップＰ７ではなくステップＰ２となる。
【０１３１】
ステップＱ１１に分岐した制御部８１は、アラーム振動部８７に鳴動停止を指示する。また、制御部８１は、バックライト部１２を消灯する（ステップＱ１１）。
【０１３２】
そして、制御部８１は、タイマー回路１５により、カウントダウン時間２０１が経過したか否かをチェックする（ステップＲ７）。制御部８１は、カウントダウン時間２０１が経過したことを検知した場合（ステップＲ７のＮｏの場合）は、ステップＱ１に分岐する。制御部８１は、カウントダウン時間２０１が経過していないことを検知した場合（ステップＲ７のＹｅｓの場合）は、ステップＲ７に分岐する。
【０１３３】
本発明の第４の実施の形態によれば、入力する文字列を、不揮発性記憶装置９１に設定された可変長の特定数字列２０７としたことにより、操作者の応答速度に適切に応じた応答時間判定をすることが可能になるという効果を有している。
【０１３４】
次に、本発明の第５の実施の形態について説明する。本発明の第５の実施の形態は、応答時間判定に関する処理を、データ処理手段に行わせるプログラムである。データ処理手段とは、独立したコンピュータ、機器あるいは装置などに搭載されたプロセッサあるいは制御部などである。
【０１３５】
本発明の第一のプログラムは、あらかじめ定められた１以上の特定の状態の内のいずれかの状態を検出すると、１以上の期待入力記号を含む前記入力記号を選定する処理と、１以上の前記期待入力記号を含む前記入力記号をいずれの前記入力操作手段に表示させるかを選択する処理と、選定された１以上の期待入力記号を含む前記入力記号に対応する表示制御信号を、選択された前記入力操作手段に出力する処理と、操作者による前記期待入力記号の入力操作が、あらかじめ規定された判定時間以内に実行されたか否かを監視する処理とをデータ処理手段に行わせる。
【０１３６】
本発明の第二のプログラムは、第一のプログラムにおいて、前記期待入力記号をランダムに生成する処理と、前記期待入力記号を表示する処理とをデータ処理手段に行わせる。
【０１３７】
本発明の第三のプログラムは、第一または第二のプログラムにおいて、前記期待入力記号があらかじめ格納された記憶手段から、前記期待入力記号を読み出す処理をデータ処理手段に行わせる。
【０１３８】
本発明の第四のプログラムは、第一乃至第三のいずれかのプログラムにおいて、前記判定時間があらかじめ格納された前記記憶手段から、前記判定時間を読み出す処理をデータ処理手段に行わせる。
【０１３９】
本発明の第五のプログラムは、第一乃至第四のいずれかのプログラムにおいて、設定者の操作に対応して前記期待入力記号として設定する前記入力記号を入力する処理と、前記期待入力記号を記憶手段に記憶する処理とをデータ処理手段に行わせる。
【０１４０】
本発明の第六のプログラムは、第一乃至第五のいずれかのプログラムにおいて、設定者の操作に対応して前記判定時間を入力する処理と、前記判定時間を記憶手段に記憶する処理とをデータ処理手段に行わせる。
【０１４１】
本発明の第七のプログラムは、第一乃至第六のいずれかのプログラムに
おいて、設定者の操作に対応して入力操作の規定回数を入力する処理と、
前記規定回数を記憶手段に記憶する処理とをデータ処理手段に行わせる。
【０１４２】
本発明の第八のプログラムは、第一乃至第七のいずれかのプログラムにおいて、前記操作者による前記入力操作において、前記期待入力記号以外が入力された場合の入力ミスを監視する処理と、前記入力ミスを監視する前記処理の結果、および、前記操作者による前記期待入力記号の前記入力操作が、あらかじめ規定された前記判定時間以内に実行されたか否かを監視する前記処理の結果に基づいて、前記期待入力記号の入力が正常であるか異常であるかを判断する処理と、前記判断の結果が正常である場合はあらかじめ定められた正常処理を実行する処理と、前記判断の結果が異常である場合はあらかじめ定められた異常処理を実行する処理とをデータ処理手段に行わせる。
【産業上の利用可能性】
【０１４３】
本発明は、二輪車両運転者や一般の四輪車両運転者・建設用の重機車両運転者・重機装置操作者等の適格性確認に適用できる、またコンピュータ操作者における応答時間判定にも適用できる。
【図面の簡単な説明】
【０１４４】
【図１】本発明の第１の実施の形態の機能ブロック図である。
【図２】本発明の第１の実施の形態の動作を示すフローチャートである。
【図３】本発明の第２の実施の形態の構成図である。
【図４】本発明の第２、第３、第４の実施の形態の可変番号表示・入力部の構成図である。
【図５】本発明の第２の実施の形態の制御部の動作を示すフローチャートである。
【図６】本発明の第２、第３、第４の実施の形態のカウントダウン時間、ボタン圧力検知回数、位置１センサー表示数字〜位置１０センサー表示数字、規定回数の構造を示す図である。
【図７】本発明の第２の実施の形態の数字列の構造を示す図である。
【図８】本発明の第２、第３、第４の実施の形態の可変番号表示・入力部の表示例である。
【図９】本発明の第３の実施の形態の構成図である。
【図１０】本発明の第３の実施の形態の制御部の動作を示すフローチャートである。
【図１１】本発明の第３の実施の形態の特定数字列の構造と対応する表示イメージを示す図である。
【図１２】本発明の第４の実施の形態の構成図である。
【図１３】本発明の第４の実施の形態のアラーム時刻、規定回数の構造を示す図である。
【図１４】本発明の第４の実施の形態の不揮発性記憶装置に格納される特定数字列の構造を示す図である。
【図１５】本発明の第４の実施の形態の記憶装置に格納される特定数字列の構造を示す図である。
【図１６】本発明の第４の実施の形態の制御部の動作を示すフローチャートである。
【図１７】本発明の第２の実施の形態の特定番号・文字表示部と可変番号表示・入力部の表示遷移の概念図である。
【図１８】本発明の第４の実施の形態の制御部の動作を示すフローチャートである。
【符号の説明】
【０１４５】
１０    着席検出部
１１    制御部
１２    バックライト部
１３    記憶装置
１４    特定番号・文字表示部
１５    タイマー回路
１６    可変番号表示・入力部
１７    ハザード表示部
１８    カードリーダ部
１９    応答時間判定装置
２０    対象装置の制御部
２１    位置１センサー
２２    位置２センサー
２３    位置３センサー
２４    位置４センサー
２５    位置５センサー
２６    位置６センサー
２７    位置７センサー
２８    位置８センサー
２９    位置９センサー
３０    位置１０センサー
５１    制御部
５９    応答時間判定装置
６１    読み出し専用記憶装置
８０    刻時部
８１    制御部
８７    アラーム振動部
８８    アラームスイッチ部
８９    応答時間判定装置
９０    アラーム時刻・番号設定部
９１    不揮発性記憶装置
１１０    応答時間判定装置
１１１    選定手段
１１２    選択手段
１１３    表示制御手段
１１４    時間監視手段
１１５    入力操作手段、入力操作手段Ａ、入力操作手段Ｂ、入力操作手段Ｃ、入力操作手段Ｄ、入力操作手段Ｅ
１１６    期待入力記号生成手段
１１７    期待入力記号格納手段
１１８    期待入力記号表示指示手段
１２０    表示入力素子選択手段
１２１    表示制御信号出力手段
１２２    正常処理実行手段
１２３    異常処理実行手段
１２４    ミス監視手段
１２５    タイマー制御手段
１２８    判定時間読出手段
２０１    カウントダウン時間
２０２    ボタン圧力検知回数
２０３    位置１センサー表示数字〜位置１０センサー表示数字
２０４    数字列
２０５    特定数字列
２０６    アラーム時刻
２０７    特定数字列
２０８    特定数字列
２０９    規定回数
５１６    期待入力記号読出手段
８１６    期待入力記号読出手段
８２６    期待入力記号入力手段
８２７    期待入力記号記憶手段
【図１】
0005196903.tif 000002
【図２】
0005196903.tif 000003
【図３】
0005196903.tif 000004
【図４】
0005196903.tif 000005
【図５】
0005196903.tif 000006
【図６】
0005196903.tif 000007
【図７】
0005196903.tif 000008
【図８】
0005196903.tif 000009
【図９】
0005196903.tif 000010
【図１０】
0005196903.tif 000011
【図１１】
0005196903.tif 000012
【図１２】
0005196903.tif 000013
【図１３】
0005196903.tif 000014
【図１４】
0005196903.tif 000015
【図１５】
0005196903.tif 000016
【図１６】
0005196903.tif 000017
【図１７】
0005196903.tif 000018
【図１８】
0005196903.tif 000019